(57)【要約】【課題】無線周波数通信を介して電子コンポーネントを管理する装置及び方法を提供する。【解決手段】複数のスロットを含むシャーシであって、複数のスロットの各々は、着脱可能な電子コンポーネントをシャーシに接続するように構成されている、シャーシと、サーバ内の着脱可能な電子コンポーネントの利用を管理し、着脱可能な電子コンポーネントとサーバのオペレーティングシステムとの間のインタフェースとして機能するように構成されたコントローラと、コントローラと通信可能に接続された少なくとも１つのＲＦＩＤリーダであって、シャーシに接続された着脱可能な電子コンポーネントの１つ以上のＲＦＩＤタグに問い合わせを行い、１つ以上のＲＦＩＤタグからの情報をコントローラに提供するように構成された少なくとも１つのＲＦＩＤリーダと、を備える。【選択図】図２
2019079489.tif 000002
【特許請求の範囲】
【請求項１】
サーバであって、
複数のスロットを含むシャーシであって、前記複数のスロットの各々は、着脱可能な電子コンポーネントを前記シャーシに接続するように構成されている、シャーシと、
前記サーバ内の前記着脱可能な電子コンポーネントの利用を管理し、前記着脱可能な電子コンポーネントと前記サーバのオペレーティングシステムとの間のインタフェースとして機能するように構成されたコントローラと、
前記コントローラと通信可能に接続された少なくとも１つのＲＦＩＤリーダであって、前記シャーシに接続された前記着脱可能な電子コンポーネントの１つ以上のＲＦＩＤタグに問い合わせを行い、前記１つ以上のＲＦＩＤタグからの情報を前記コントローラに提供するように構成された少なくとも１つのＲＦＩＤリーダと、を備える、
サーバ。
【請求項２】
前記少なくとも１つのＲＦＩＤリーダは、複数のＲＦＩＤリーダを備え、前記複数のＲＦＩＤリーダの各々は、前記複数のスロットの別々のスロットに関連付けられている、請求項１のサーバ。
【請求項３】
前記シャーシは、資産識別コンポーネントの挿入を受け入れるように構成された挿入口を含み、前記少なくとも１つのＲＦＩＤリーダは、前記資産識別コンポーネントが前記挿入口に挿入された状態で前記資産識別コンポーネントのＲＦＩＤタグに問い合わせを行うように構成されている、請求項１のサーバ。
【請求項４】
前記少なくとも１つのＲＦＩＤリーダは、前記コントローラからの情報を前記１つ以上のＲＦＩＤタグに提供するように構成された少なくとも１つのＲＦＩＤトランシーバである、請求項１のサーバ。
【請求項５】
サーバであって、
複数のスロットを含むシャーシと、
複数の着脱可能な電子コンポーネントであって、前記複数の着脱可能な電子コンポーネントの各々は、前記着脱可能な電子コンポーネントを前記シャーシに接続するために前記複数のスロットの別々のスロットに挿入されるとともに、ＲＦＩＤタグを含む、複数の着脱可能な電子コンポーネントと、
前記サーバ内の前記着脱可能な電子コンポーネントの利用を管理し、前記着脱可能な電子コンポーネントと前記サーバのオペレーティングシステムとの間のインタフェースとして機能するコントローラと、
前記コントローラと通信可能に接続された複数のＲＦＩＤリーダであって、前記複数のＲＦＩＤリーダの各々は、前記複数の電子コンポーネントの各々のＲＦＩＤタグに問い合わせを行いし、前記ＲＦＩＤタグから得られた情報を前記コントローラに提供するように構成されている、複数のＲＦＩＤリーダと、を備える、
サーバ。
【請求項６】
前記複数のＲＦＩＤリーダは、前記コントローラからの情報を前記複数の着脱可能な電子コンポーネントの各々のＲＦＩＤタグに提供するように構成された複数のＲＦＩＤトランシーバである、請求項５のサーバ。
【請求項７】
サーバ内の１つ以上の着脱可能な電子コンポーネントを管理する方法であって、
ＲＦＩＤリーダを用いて、前記サーバのシャーシに接続された前記１つ以上の着脱可能な電子コンポーネントのＲＦＩＤタグに問い合わせを行うステップと、
前記問い合わせに応じて前記電子コンポーネントからの情報を受信し、前記ＲＦＩＤリーダによって、前記情報を前記サーバのコントローラに提供するステップと、
前記コントローラによって、前記情報に基づいて、前記着脱可能な電子コンポーネント、前記サーバ、又は、これらの組み合わせを管理するステップと、を含む、
方法。
【請求項８】
前記ＲＦＩＤリーダはＲＦＩＤトランシーバであって、前記着脱可能な電子コンポーネントを管理するステップは、前記ＲＦＩＤタグに関する情報を更新するステップを含む、請求項７の方法。
【請求項９】
前記管理するステップは、前記コントローラが、前記情報を、前記サーバの外部、内部、又は、これらの組み合わせの電子データベースに記録させるステップを含む、請求項７の方法。
【請求項１０】
前記管理するステップは、前記サーバによって、前記情報を、電子デバイスのグラフィカルユーザインタフェース上で表示するために提供するステップを含む、請求項７の方法。
【発明の詳細な説明】
【技術分野】
【０００１】
本発明は、サーバ内の電子コンポーネントの管理に関し、特に、無線周波数通信を介して電子コンポーネントを管理する装置及び方法に関する。
【背景技術】
【０００２】
サーバは、サーバの特定の要求に応じて電子コンポーネントの追加及び除去を提供することによって、柔軟性を持たせて構築されている。かかる着脱可能な電子コンポーネントは、例えば、１つ以上のファン、１つ以上の電源ユニット（ＰＳＵ）、１つ以上のグラフィック処理ユニット（ＧＰＵ）、１つ以上のメモリ等を含む。
【０００３】
現在、サーバ内のいくつかの電子コンポーネントは、サーバの１つ以上のコントローラと通信することができる。これらの電子コンポーネントは、能動電子コンポーネントと呼ばれ、例えば、ＰＳＵ、ＧＰＵ及びメモリを含む。一方、サーバ内のいくつかの電子コンポーネントは、１つ以上のコントローラと通信することができない。これらの電子コンポーネントは、受動電子コンポーネントと呼ばれ、例えばファンを含む。
【０００４】
受動電子コンポーネントが１つ以上のコントローラと通信可能にするための１つの解決手段は、電子コンポーネント自体及びこれらが接続する回路基板の両方において、既存のコネクタインタフェースを変更して、受動電子コンポーネントとコントローラとを通信可能にすることである。
【０００５】
図１は、全ての電子コンポーネントがコントローラと通信できるように構成されたサーバ１００を示す図である。しかしながら、サーバ１００の構成は、いくつかの欠点を含んでいる。サーバ１００は、内部に配置されたマザーボード又は他のメインボード等の回路基板１０４を有するシャーシ１０２から構成されている。シャーシ１０２は、シャーシ１０２内の１つ以上のスロット（図示省略）に挿入可能なコンポーネント１０６，１０８を含む。図１に示すように、コンポーネント１０６は、１つ以上のファン、又は、１つ以上のファンを含むファントレイ等の受動電子コンポーネントに対応する。コンポーネント１０８は、１つ以上のＰＳＵ等の能動電子コンポーネントに対応する。しかしながら、コンポーネント１０６，１０８は、例えば、任意のタイプのフィールド交換可能ユニット（ＦＲＵ）又はホットスワップ可能（hot-swappable）ユニット等のように、シャーシ１０２に追加することができる任意のタイプの着脱可能な電子コンポーネントとすることができる。
【０００６】
コンポーネント１０６，１０８は、例えば、コンポーネント１０６，１０８上の雄型コネクタ１１０ａ，１１２ａと、回路基板１０４上の雌型コネクタ１１０ｂ，１１２ｂと、を含むコネクタ１１０，１１２を介して回路基板１０４に電気的に接続することができる。コネクタ１１０，１１２は、コンポーネント１０６，１０８がコントローラ１１４及び回路基板１０４上に配置された他のコンポーネントに通信可能に接続されるのを可能にする。
【０００７】
能動コンポーネント１０８用の従来のコネクタ（例えば、コネクタ１１２）は、能動電子コンポーネント１０８とコントローラ１１４との間の信号の通信のための追加のピン接続部を既に含んでいるが、受動コンポーネント１０６用の従来のコネクタ（例えば、コネクタ１１０）は、追加のピン接続部を含んでいない。また、従来の受動電子コンポーネントは、通常、コントローラ１１４に接続するのに必要なプリント回路基板アセンブリ（ＰＣＢＡ）を有していない。従って、図１のコネクタ１１０は、従来の受動コンポーネント用のコネクタに比べて、追加のピンを含むように改良されている。追加のピンは、コンポーネント１０６とコントローラ１１４との間の信号を通信して、コントローラ１１４によるコンポーネント１０６の管理及び制御を可能にする。しかしながら、コネクタ１１０の改良は、回路基板１０４上に追加のスペースを必要とし、シャーシ１０２内に追加のスペースを必要とする。その追加のスペースは、本来であれば他の追加のコンポーネントに使用することもできる。使用されたスペースと、改良されたコネクタのために増加した配線とが、サーバ１００内の空気流を制限する。更に、追加のピンは、コンポーネント１０６が現在の回路基板上の現在のコネクタに対して後方互換性を持たせないようにする。従って、図１に示された構成は、コントローラ１１４が受動電子コンポーネントに通信可能に接続する機能があるにもかかわらず、依然として欠点を有する。
【０００８】
図１は、サーバ１００内に挿入する（例えば、シャーシ１０２内に挿入する）ことができる資産識別コンポーネント１１６（asset identification component）も示している。資産識別コンポーネント１１６は、サーバ１００内の資産（例えば、電子コンポーネント１０６，１０８、コントローラ、メモリ、モジュール及び他のユニット等のコンポーネント）の手動による識別を可能にする。しかしながら、図１のＸで示すように、コントローラ１１４は、資産識別コンポーネント１１６に対して通信可能に接続されていない。むしろ、資産識別コンポーネント１１６は、オペレータが、サーバ１００内の資産を識別するためのスキームに関連するバーコード、２次元コード又は他のタイプの可視表示（visible indicia）を光学的にスキャンするためだけに存在している。コードをスキャンする手動のプロセスは、非効率であり、コード自体が固定されており、動的に変更することができない。また、コードのスキームは、資産識別コンポーネント１１６に記憶することができる情報の量を制限する。従って、図１の資産識別コンポーネントの配置は、柔軟性と、サーバの設定に関して容易にアクセスできる情報の量と、において欠点を有する。
【０００９】
従って、上述した欠点を克服する装置及び方法が必要とされている。
【発明の概要】
【発明が解決しようとする課題】
【００１０】
無線周波数通信を介して電子コンポーネントを管理する装置及び方法を提供する。
【課題を解決するための手段】
【００１１】
様々な実施形態は、無線周波数識別（ＲＦＩＤ）リーダ及びタグを用いてサーバ内の着脱可能な電子コンポーネントを管理する装置及び方法に関する。
【００１２】
様々な実施形態は、受動電子コンポーネントのＲＦＩＤタグに問い合わせることによって、サーバ内の受動電子コンポーネントを管理する装置及び方法に関する。
【００１３】
例えば、第１実施形態に係るサーバは、複数のスロットを含むシャーシを有する。複数のスロットの各々は、着脱可能な電子コンポーネントをシャーシに接続するように構成されている。サーバは、サーバ内の着脱可能な電子コンポーネントの利用を管理するように構成されており、着脱可能な電子コンポーネントとサーバのオペレーティングシステムとの間のインタフェースとして機能するコントローラを更に含む。サーバは、コントローラに通信可能に接続された少なくとも１つの無線識別（ＲＦＩＤ）リーダを更に含む。少なくとも１つのＲＦＩＤリーダは、シャーシに接続された着脱可能な電子コンポーネントの１つ以上のＲＦＩＤタグに問い合わせを行い、１つ以上のＲＦＩＤタグからの情報をコントローラに提供するように構成されている。
【００１４】
いくつかの実施形態では、少なくとも１つのＲＦＩＤリーダは、複数のＲＦＩＤリーダであり、複数のＲＦＩＤリーダの各々は、複数のスロットの別々のスロットに関連付けられている。更に、サーバは、複数のＲＦＩＤリーダに通信可能に接続された複数のアンテナを含むことができる。複数のアンテナの各々は、複数のＲＦＩＤリーダの別々のＲＦＩＤリーダに接続することができる。複数のアンテナの各々は、別々のスロットに接続された電子コンポーネントのＲＦＩＤタグと整列するように、複数のスロットの別々のスロットに配置することもできる。
【００１５】
いくつかの実施形態では、シャーシは、資産識別コンポーネントの挿入を受け入れるように構成された挿入口を含むことができる。少なくとも１つのＲＦＩＤリーダは、挿入口に挿入された資産識別コンポーネントを用いて、資産識別コンポーネントのＲＦＩＤタグに問い合わせるように構成されてもよい。更に、サーバは、少なくとも１つのＲＦＩＤリーダに通信可能に接続された少なくとも１つのアンテナを含むことができる。少なくとも１つのアンテナは、挿入口に挿入された資産識別コンポーネントとともに、資産識別コンポーネントのＲＦＩＤタグと整列するように配置される。更に、少なくとも１つのＲＦＩＤリーダは、コントローラからの情報を１つ以上のＲＦＩＤタグに提供するように構成された少なくとも１つのＲＦＩＤトランシーバであってもよい。
【００１６】
第２実施形態に係るサーバは、複数のスロットを含むシャーシと、複数の着脱可能な電子コンポーネントと、を含む。複数の着脱可能な電子コンポーネントの各々は、シャーシに接続するために、複数のスロットの別々のスロットに挿入されてもよいし、ＲＦＩＤタグを含んでもよい。サーバは、サーバ内の着脱可能な電子コンポーネントの利用を管理するように構成されたコントローラを含んでもよい。コントローラは、着脱可能な電子コンポーネントと、サーバのオペレーティングシステムと、コントローラに通信可能に接続された複数のＲＦＩＤリーダと、の間のインタフェースとして機能する。複数のＲＦＩＤリーダの各々は、複数の電子コンポーネントの各々の着脱可能な電子コンポーネントの個別のＲＦＩＤタグに問い合わせし、個別のＲＦＩＤタグから得られた情報をコントローラに提供するように構成されてもよい。
【００１７】
いくつかの実施形態では、複数のＲＦＩＤリーダは、コントローラからの情報を、複数の着脱可能な電子コンポーネントの複数のＲＦＩＤタグに提供するように構成された複数のＲＦＩＤトランシーバとすることができる。更に、サーバは、資産識別コンポーネントを受け入れるように構成されたシャーシ内に挿入口を含むことができる。複数のＲＦＩＤトランシーバのうち少なくとも１つは、資産識別コンポーネントのＲＦＩＤタグに問い合わせし、資産識別コンポーネントのＲＦＩＤタグからの情報をコントローラに提供するように構成されてもよい。更に、少なくとも１つのＲＦＩＤトランシーバは、コントローラからの情報を資産識別コンポーネントのＲＦＩＤタグに書き込むように構成されてもよい。
【００１８】
第３実施形態に係る方法は、サーバ内の１つ以上の着脱可能な電子コンポーネントを管理するステップを含む。１つの特定の方法は、ＲＦＩＤリーダを用いて、サーバのシャーシに接続された１つ以上の着脱可能な電子コンポーネントの着脱可能な電子コンポーネントのＲＦＩＤタグに問い合わせるステップを含む。この方法は、問い合わせに応じて、電子コンポーネントからの情報を受信し、ＲＦＩＤリーダによって、当該情報をサーバのコントローラに提供するステップを更に含む。この方法は、情報に基づいて、コントローラによって、着脱可能な電子コンポーネント、サーバ、又は、これらの組み合わせを管理するステップを更に含む。
【００１９】
いくつかの実施形態では、ＲＦＩＤリーダはＲＦＩＤトランシーバであり、着脱可能な電子コンポーネントの管理は、ＲＦＩＤタグに関する情報を更新するステップを含む。
【００２０】
いくつかの実施形態では、管理するステップは、コントローラが、情報を、サーバの外部、内部、又は、これらの組み合わせの電子データベースに記録させるステップを含む。
【００２１】
いくつかの実施形態では、管理するステップは、サーバによって、情報を、電子デバイスのグラフィカルユーザインタフェース上で表示するために提供することを含む。更に、管理することは、情報を、グラフィカルユーザインタフェース上で表示するために復号化することを含んでもよく、電子デバイスはモバイル電子デバイスであってもよい。
【００２２】
いくつかの実施形態では、問い合わせは、着脱可能な電子コンポーネント又は資産識別コンポーネントの挿入に応じて、連続的であってもよいし、周期的であってもよいし、オンデマンドであってもよいし、これらの組み合わせであってもよい。
【００２３】
いくつかの実施形態では、情報は、着脱可能な電子コンポーネントの１つ以上の動作パラメータを含む。更に、情報は、着脱可能な電子コンポーネントのシリアル番号、モデル番号、パートリビジョン（part revision）、インターネットプロトコルアドレス、メディアアクセス制御アドレス、モデル名、最初の実行日、最後の実行日、ランタイム、製造日、製造業者、又は、これらの組み合わせを含むことができる。
【００２４】
いくつかの実施形態では、ＲＦＩＤリーダはＲＦＩＤトランシーバとすることができる。この方法は、ＲＦＩＤトランシーバを用いて、サーバに挿入された資産識別コンポーネントのＲＦＩＤタグに問い合わせるステップを更に含むことができる。方法は、資産識別コンポーネントに情報を提供することによって、当該情報に基づいて資産識別コンポーネントのＲＦＩＤタグを更新させるステップを更に含むことができる。
【図面の簡単な説明】
【００２５】
【図１】各種実施形態を説明するのに有用な着脱可能な電子コンポーネントを受け入れるように構成されたサーバの概略図である。
【図２】各種実施形態による、無線周波数通信を介してコントローラに通信可能に接続された着脱可能な電子コンポーネントを受け入れるように構成された代替サーバの概略図である。
【図３】各種実施形態による、ＲＦＩＤリーダに接続又は一体化することができるアンテナを示す図である。
【図４】各種実施形態による、電子コンポーネントに組み込むことができるＲＦＩＤタグを示す図である。
【図５】各種実施形態による、ＲＦＩＤタグが組み込まれた電子コンポーネントを示す図である。
【図６Ａ】各種実施形態による、サーバのシャーシ内に挿入される前の電子コンポーネントを示す図である。
【図６Ｂ】各種実施形態による、サーバのシャーシ内に挿入された後の電子コンポーネントを示す図である。
【図７】各種実施形態による、サーバのシャーシ内に部分的に挿入された資産識別コンポーネントを示す図である。
【図８Ａ】特定の実施形態による、サーバ内の１つ以上の着脱可能な電子コンポーネントを管理する例示的な方法を示す図である。
【図８Ｂ−１】特定の実施形態による、サーバ内の電子コンポーネントとしてホットスワップ可能なファンを管理する例示的な方法を示す図である。
【図８Ｂ−２】特定の実施形態による、サーバ内の電子コンポーネントとしてホットスワップ可能なファンを管理する例示的な方法を示す図である。
【図９Ａ】各種実施形態による、電子コンポーネントのＲＦＩＤタグから取り出された情報が電子デバイスのディスプレイ上に提示される例示的なグラフィカルユーザインタフェース（ＧＵＩ）を示す図である。
【図９Ｂ】各種実施形態による、資産識別コンポーネントのＲＦＩＤタグから取り出された情報が電子デバイスのディスプレイ上に提示される例示的なグラフィカルユーザインタフェース（ＧＵＩ）を示す図である。
【図１０】特定の実施形態による、資産識別コンポーネントに関する情報を更新する例示的な方法を示す図である。
【発明を実施するための形態】
【００２６】
添付の図面を参照して各種実施形態を説明するが、同様の参照番号は、全体に亘って類似又は同一の要素を示すのに用いられる。図面は、本発明を単に説明するためのものであって、縮尺通りに描かれるものではない。完全な理解を提供するために、多数の具体的な詳細、関係及び方法が示されていることを理解されたい。しかしながら、当業者であれば、様々な実施形態が、１つ以上の特定の詳細なしに他の方法を用いて行い得ることが容易に理解できるであろう。他の実施形態において、従来の周知の構造又は操作は、本発明が不明瞭になることを避けるために、詳細に示されていない。様々な実施形態では、いくつかの動作が、異なる順序及び／又は他の動作若しくはイベントと同時に起こり得るので、図示された動作又はイベントの順序に限定されない。また、様々な実施形態による方法を実施するために、図示された全ての動作又はイベントが必要とされるわけではない。
【００２７】
例えば、要約、概要及び詳細な説明で開示されているが、特許請求の範囲に明記されていない要素及び制限は、含意、推論若しくは他の方式によって単独又は集合的に特許請求の範囲に組み込まれるべきではない。詳細な記載の目的のために、特に断りのない限り、単数は複数を含み、その逆も同様である。「含む」という用語は、「制限なしに含む」ことを意味する。また、例えば、「約（about）」、「ほとんど（almost）」、「実質的に（substantially）」、「おおよそ（approximately）」等の近似の用語は、ここでは、例えば「…で（at）、…近くで（near）、…に近接して（nearly at）」、「…の３〜５％内で」、「製造誤差の許容範囲内で」、又は、これらの任意の論理的組み合わせの意味を含むことができる。
【００２８】
各種実施形態では、受動電子コンポーネントとしてのファン又はファントレイに関して主に説明されるが、これは単に説明を容易にするためのものである。本明細書で述べられる装置及び方法は、任意のタイプの受動電子コンポーネント及び能動電子コンポーネントを含む、サーバ内の他のタイプの着脱可能な電子コンポーネントに適用することができる。
【００２９】
上述したように、サーバ内の電子コンポーネントの管理に関する現在のシステム及び方法には、様々な欠点がある。従って、本発明の様々な実施形態は、かかるシステム及び方法の代替案を提供する。特に、各種実施形態は、ＲＦＩＤリーダ及びタグを用いて、サーバ内の管理を提供するコントローラと、管理されているサーバ内のコンポーネントと、の間で情報を通信する。これを、図２に概略的に示す。
【００３０】
図２は、各種実施形態による、無線周波数通信を介して、着脱可能な電子コンポーネントをコントローラに通信可能に接続するように構成されたサーバ２００の概略図である。特に、図２のサーバ２００は、図１のサーバ１００と実質的に同様である。従って、以下に特に説明される場合を除き、図１の要素１０２，１０４，１０６，１０８，１１２，１１４，１１６の上述した説明は、図２の要素２０２，２０４，２０６，２０８，２１２，２１４，２１６を説明するのに十分である。
【００３１】
コントローラ２１４は、例えば、管理コントローラ（ＭＣ）等のように、サーバ２００内の専用のマイクロコントローラ又はプロセッサであってもよい。コントローラ２１４は、サーバ２００内の電子コンポーネント２０６，２０８、又は、任意の他の資産若しくはコンポーネントの使用を管理するように構成されてもよい。また、コントローラ２１４は、電子コンポーネント２０６，２０８、又は、サーバ２００内の任意の他の資産若しくはコンポーネントと、サーバ２００のオペレーティングシステムとの間のインタフェースとして機能するように構成されてもよい。いくつかの実施形態では、例示的な管理コントローラは、ベースボード管理コントローラ（ＢＭＣ）であってもよい。１つ以上の実施形態では、コントローラ２１４は、インテリジェントプラットフォーム管理インタフェース（Intelligent Platform Management Interface；ＩＰＭＩ）の一部であってもよく、システム管理ソフトウェアと、サーバ２００内の他のコントローラと独立したプラットフォームハードウェア（例えば、中央処理装置（ＣＰＵ））と、の間のインタフェースを管理することができる。
【００３２】
図２に示すように、サーバ２００は、ＲＦＩＤリーダ２１８を含む。ＲＦＩＤリーダ２１８は、各種の異なるプロトコル及び標準規格（例えば、低周波標準規格（ＬＦ）、高周波標準規格（ＨＦ）、超高周波標準規格（ＵＨＦ）、近距離無線通信（ＮＦＣ）規格等）に基づく各種の異なるタイプの能動型ＲＦＩＤリーダ２１８であってもよい。ＲＦＩＤリーダ２１８は、直接に、又は、バス（例えば、電源管理バス（ＰＭＢ）、集積回路間（Inter Integrated Circuit；Ｉ２Ｃ）バス等）を介して、コントローラ２１４に通信可能に接続されている。ＬＦ、ＨＦ又はＵＨＦリーダ等のように実施されているＲＦＩＤリーダのタイプは、通信信号が伝送するのに必要な距離に従って変更することができる。サーバシャーシの環境内では、ＬＦ、ＨＦ及びＵＨＦ  ＲＦＩＤリーダを用いることができるように、距離は長くない。１つ以上の実施形態では、実施されているＲＦＩＤリーダのタイプは、環境内の干渉レベルに依存し得る。例えば、ＬＦ  ＲＦＩＤリーダは、干渉が少ないため、干渉レベルが高い環境では、ＨＦ及びＵＨＦ  ＲＦＩＤリーダよりも好ましい可能性がある。
【００３３】
ＲＦＩＤリーダ２１８もアンテナ２２０に通信可能に接続されている。アンテナ２２０は、ＲＦＩＤリーダ２１８と一体化されてもよく、ケーブルによってＲＦＩＤリーダ２１８に接続されてもよい（図３）。アンテナ２２０は、ＲＦＩＤリーダ２１８のプロトコル及び規格に従って、且つ、無線周波数通信が必要とする所望の距離に従って、サイズが設定され、構成されている。低周波アンテナは、誘導結合を用いて通信をしており、通常、コイル形状又は円形状である。高周波アンテナも誘導結合を用いて通信をしており、通常、長方形状又は円形状である。超高周波アンテナは、後方散乱結合を用いて通信をしており、通常、双極子（dipole）形状である。従って、使用されるアンテナの形状は、例えば、ＬＦ、ＨＦ又はＵＨＦ通信等の使用されるＲＦＩＤ通信のタイプによって変えることができる。
【００３４】
ＲＦＩＤリーダ２１８は、アンテナ２２０を介して質問信号を送信することによって、電子コンポーネント２０６上のＲＦＩＤタグ２２２に問い合わせる。次いで、ＲＦＩＤタグ２２２は、応答信号で質問信号に応答するように構成されている。一般にタグと呼ばれるが、ＲＦＩＤタグ２２２は、アンテナ、及び、典型的にはマイクロチップ（例えば、専用コントローラ）の両方を含む。ＲＦＩＤタグ２２２のアンテナは、アンテナ２２０について上述した形状に従って成形することができる。マイクロチップは、ＲＦＩＤタグに用いられる任意の特殊用途のマイクロチップとすることができる。
【００３５】
１つ以上の実施形態において、ＲＦＩＤタグ２２２は、ＲＦＩＤタグ２２２が自身のバッテリ又は他の電源を含まないパッシブタグであってもよい。例えばアンテナ２２０等の外部電源は、タグが応答信号を送信するようにパッシブタグを動作させる。具体的には、ＲＦＩＤタグ２２２のアンテナは、アンテナ２２０から質問信号を受信する。質問信号は、ＲＦＩＤタグ２２２のアンテナを励起し、ＲＦＩＤタグ２２２上のマイクロチップに給電する。次いで、マイクロチップは応答信号を生成する。応答信号は、ＲＦＩＤタグ２２２が取り付けられたされた電子コンポーネントに関連する情報を含む。応答信号は、ＲＦＩＤタグ２２２自身に関連する情報も含むことができる。次いで、例えばＲＦＩＤリーダ２１８等の外部ソースは、ＲＦＩＤタグ２２２によって送信された応答信号を読み取ることができる。そして、ＲＦＩＤリーダ２１８は、応答信号を、例えばコントローラ２１４等のコントローラに伝達し、コントローラは、情報に基づいて、ＲＦＩＤタグに関連する電子コンポーネントを管理することができる。
【００３６】
ＲＦＩＤタグ２２２は、パッシブタグの代わりに、セミパッシブタグ又はアクティブタグであってもよい。セミパッシブタグは、タグに給電するバッテリを含むが、送信信号をアンテナに送信するのに必要な電力を有していない。アクティブタグは、自身の電源をオンにし、同時に信号をアンテナに送信するのをサポートする電源を含む。しかしながら、特定の実施形態では、パッシブＲＦＩＤタグは、より経済的であるために使用することができ、必要なスペースを少なくし、動作のための追加のコンポーネント（例えば、バッテリ）を少なくすることによって、サーバ環境に適している。
【００３７】
各ＲＦＩＤタグ２２２は、ＲＦＩＤタグ２２２に関連付けられた電子コンポーネント２０６に関する情報を記憶するように構成することができる。情報は、例えば、電子コンポーネント２０６の１つ以上の動作パラメータを含むことができる。電子コンポーネント２０６がファンの場合、かかる動作パラメータは、例えば、ファンの風向、サーバ２００内のファンの位置、ファンの回転状態等であってもよい。動作パラメータは、電子コンポーネント２０６のタイプに特有の他の情報であってもよい。情報は、電子コンポーネント２０６の一般的な情報（例えば、シリアル番号、モデル番号、パートリビジョン、インターネットプロトコルアドレス、メディアアクセス制御アドレス、モデル名、最初の実行日、最後の実行日、実行時、製造日、製造業者、又は、これらの組み合わせ等）を含むこともできる。
【００３８】
図２に示するように、電子コンポーネント２０６を挿入することができるシャーシ２０２内の各スロット（図示省略）等のように、電子コンポーネント２０毎に１つのＲＦＩＤリーダ２１８と１つのアンテナ２２０とを設けることができる。または、シャーシ２０２内の各スロット（図示省略）に電子コンポーネント２０６を挿入することができるように、サーバ２００用の単一のＲＦＩＤリーダ２１８と、各電子コンポーネント２０６用の１つのアンテナ２２０とを設けることができる。単一のＲＦＩＤリーダ２１８は、各ＲＦＩＤタグ２２２に固有の識別情報等のＲＦＩＤタグ２２２からの情報に基づいて、電子コンポーネント２０６のＲＦＩＤタグ２２２を識別することができる。また、サーバ２００用の単一のＲＦＩＤリーダ２１８と単一のアンテナ２２０とを設けてもよく、単一のＲＦＩＤリーダ２１８は、ＲＦＩＤタグ２２２からの情報に基づいて電子コンポーネント２０６のＲＦＩＤタグ２２２を識別することができる。
【００３９】
サーバ（例えば、サーバ２００）内のコントローラ（例えば、コントローラ２１４）に情報を提供すること以外に、サーバを組み立てるユーザは、電子コンポーネントを設置する（install）前に、電子コンポーネントに関連するＲＦＩＤタグに問い合わせることができる。ＲＦＩＤタグに問い合わせることにより、ユーザは、サーバ内に設置する前に電子コンポーネントが正確なコンポーネントであることを確認することができる。
【００４０】
図２では、電子コンポーネント２０６を回路基板２０４に接続するコネクタ２２４も示している。しかしながら、コネクタ２２４は、例えば、電子コンポーネント２０６に電力を供給するが、電子コンポーネント２０６をコントローラ２１４に通信可能に接続しない従来の接続インタフェースであってもよい。従って、コネクタ２２４は、接続のための標準の従来の数のピンを有することができる。コネクタ２２４は、図１のコネクタ１１０よりも占有スペースが小さい。このような空間節約は、断面空間において約４〜５ミリメートルとなり得る。
【００４１】
ＲＦＩＤリーダ２１８として述べられているが、１つ以上の実施形態では、ＲＦＩＤリーダ２１８は、ＲＦＩＤトランシーバとして構成することができる。ＲＦＩＤトランシーバは、電子コンポーネント２０６のＲＦＩＤタグ２２２及び／又は資産識別コンポーネント２１６に情報を書き込むことができる。ＲＦＩＤトランシーバは、ＲＦＩＤタグ２２２に記憶された情報、又は、電子コンポーネント２０６に記憶された情報を更新可能にする。１つ以上の実施形態では、電子コンポーネント２０６のＲＦＩＤタグ２２２に書き込まれた情報は、既に存在する情報を更新することができる。例えば、コントローラ２１４は、サーバ２００内の１つ以上のモジュールのエラーコードを検出することができ、コントローラ２１４は、ＲＦＩＤトランシーバ２１８に対して、エラーコードを資産識別コンポーネント２１６のＲＦＩＤタグ２２２に書き込むように指示することができる。１つ以上の実施形態では、コントローラ２１４は、ＲＦＩＤトランシーバに対して、ＲＦＩＤタグ２２２に情報を書き込むように指示することができる。ＲＦＩＤタグ２２２に書き込まれる情報は、電子コンポーネント２０６のメモリに記憶された１つ以上の動作パラメータを更新する情報であってもよい。１つ以上の動作パラメータを更新することにより、電子コンポーネント２０６の動作を更新することができる。電子コンポーネント２０６がファンの場合には、動作パラメータの変更は、例えば、ファン速度を含むことができる。従って、ＲＦＩＤトランシーバとして構成されたＲＦＩＤリーダ２１８は、コントローラ２１４が、資産識別コンポーネント２１６と電子コンポーネント２０６とに関連するＲＦＩＤタグ２２２に対して情報を読み書きすることによって、資産識別コンポーネント２１６と電子コンポーネント２０６とを能動的に管理することを可能にする。
【００４２】
図２に示して説明された要素の特定の実施例は、図３〜図７を参照して説明される。図３〜図７に関連する説明は、説明のためのものであり、限定することを意図していない。更に、図２に示して説明された要素と同様の図３〜図７に関連して説明する要素は、同様の番号である。従って、図２に関連する要素の説明は、以下に別段の記載がある場合を除き、図３〜図７と同様の番号の要素を説明するには十分である。
【００４３】
図３は、各種の実施形態による、無線周波数識別（Radio Frequency Identification；ＲＦＩＤ）リーダに通信可能に接続され得るアンテナを示す図である。図３に示すアンテナ３２０は、説明のためのものであり、限定するものではない。様々な実施形態によるアンテナは、本実施形態の趣旨及び範囲から逸脱することなく、図３のアンテナ３２０と異なる形状及びサイズを有することができる。図３に示すアンテナ３２０は、アンテナ３２０をＲＦＩＤリーダに接続するケーブル３２６を含む。しかしながら、１つ以上の実施形態において、例えばアンテナ３２０がＲＦＩＤリーダに組み込まれている場合等では、アンテナ３２０はケーブル３２６を必要としない。
【００４４】
上述したように、アンテナ３２０の幾何形状及びサイズを変えることができる。幾何形状及びサイズは、無線周波数通信に用いられるプロトコル及び／若しくは標準規格、又は、アンテナ３２０とＲＦＩＤタグ（例えば、図２のＲＦＩＤタグ２２２）との間の所望の距離によって変えることができる。幾何形状及びサイズは、アンテナ３２０とＲＦＩＤタグとの間に１対１の関係があるかどうか、又は、複数のＲＦＩＤタグがアンテナ３２０によって問い合わせされるかどうかによっても変えることができる。しかしながら、図示された実施形態によれば、アンテナ３２０は、図示されているように、２．５ｃｍの高さ及び幅の正方形の形状であってもよい。また、図示されるように、アンテナ３２０は、薄型であってもよく、これにより、例えば、図１のコネクタ１１０と比較して、サーバのシャーシ（例えば、図２のシャーシ２０２及びサーバ２００）内の空気流の制限が少なくなる。
【００４５】
図４は、各種の実施形態による、電子コンポーネント（例えば、図２の電子コンポーネント２０６）のＲＦＩＤタグ４２２を示す図である。図４に示すＲＦＩＤタグ４２２は、説明のためのものであり、限定するものではない。様々な実施形態によるＲＦＩＤタグは、本実施形態の趣旨及び範囲から逸脱することなく、図４のＲＦＩＤタグ４２２と異なる形状及びサイズを有してもよい。ＲＦＩＤタグ４２２の幾何形状及びサイズは、図３のアンテナ３２０に関して上述した理由に基づいて変えることができる。しかしながら、図示された実施形態によれば、ＲＦＩＤタグ４２２は、直径が約１．５ｃｍの円形、又は、高さ及び幅が２．５ｃｍの正方形の形状であってもよい。
【００４６】
ＲＦＩＤタグ４２２は、様々な取り付け構成に従って電子コンポーネントに取り付ることができる。例えば、ＲＦＩＤタグ４２２を電子コンポーネントに取り付けるために、クリップ、タイ若しくは接着材料のうち少なくとも１つ又はこれらの組み合わせを用いることができる。この取り付け方法は、例えば、ＲＦＩＤタグ４２２と図３のアンテナ３２０との間の正確な動作のために、ＲＦＩＤタグ４２２の方向及び／又はオフセットを維持する方法で使用することができる。特に、ＲＦＩＤタグ４２２は、ＲＦＩＤタグ４２２の正確な動作を容易にするために、質問信号を介してＲＦＩＤタグ４２２に給電しているアンテナ３２０に対して特定の方向にすることができる。例えば、ＲＦＩＤタグ４２２は、アンテナ３２０と重複した方向（例えばアンテナ３２０と垂直方向に重なり合う方向）に向けることができる。重複整列は、アンテナ３２０とＲＦＩＤタグ４２２（又はＲＦＩＤタグ４２２内のアンテナ）とが重なることを可能にする。１つ以上の実施形態では、ＲＦＩＤタグ４２２は、アンテナ３２０から垂直方向に少なくとも４分の１インチ離間しており、ＲＦＩＤタグ４２２に関連する電子コンポーネントとＲＦＩＤタグ４２２からの無線周波数信号との間の干渉を低減することができる。
【００４７】
図５は、各種の実施形態による、図４のＲＦＩＤタグ４２２を有する電子コンポーネント５０６を示す図である。図示したように、電子コンポーネント５０６は、１つ以上のファン、又は、１つ以上のファンを含むファントレイであってもよい。しかしながら、電子コンポーネント５０６は、上述した任意のタイプの電子コンポーネント５０６であってもよい。以下で更に説明されるように、ＲＦＩＤタグ４２２は、ＲＦＩＤタグ４２２に問い合わせるように構成されたアンテナ（例えば、図３のアンテナ３２０）の通信範囲内に存在するように、電子コンポーネント５０６上に配置される。１つ以上の実施形態では、ＲＦＩＤタグ４２２は、電子コンポーネント５０６がシャーシ（例えば、図２のシャーシ２０２）に挿入されたときにアンテナと一列に整列するように、電子コンポーネント５０６上に配置することができる。１つ以上の代替の実施形態では、ＲＦＩＤタグ４２２は、アンテナの通信範囲内に存在する電子コンポーネント５０６の任意の場所に配置することができる。例えば、ＲＦＩＤタグ４２２は、ＲＦＩＤタグ４２２とアンテナが重ならないように、アンテナからオフセットすることができる。ＲＦＩＤタグ４２２は、関連するＲＦＩＤリーダ（例えば、図２のＲＦＩＤリーダ２１８）内で行われる無線周波数通信によって、電子コンポーネント５０６上に露出させることができ、又は、電子コンポーネント５０６内に埋設することができる。図５に示すように、ＲＦＩＤタグ４２２は、電子コンポーネント５０６のフェイスの表面に設けられている。
【００４８】
図６Ａ及び図６Ｂを参照すると、図６Ａは、各種の実施形態による、サーバ６００のシャーシ６０２内のスロット内６２８に部分的に挿入された電子コンポーネント５０６（図５）を示す図である。図６Ｂは、各種の実施形態による、スロット内６２８に完全に挿入された後の電子コンポーネント５０６（図５及び図６Ａ）を示す図である。
【００４９】
図６Ａに示すように、シャーシ６０２は、（雄型）コネクタ６２４ｂを有する回路基板６０４を含む。コネクタ６２４ｂは、電子コンポーネント５０６上の（雌型）コネクタ６２４ａと係合するように構成されている。コネクタ６２４ａ，６２４ｂは、例えば、挿入時に電子コンポーネント５０６にのみ電力を供給する従来のコネクタである。また、シャーシ６０２は、スロット６２８内に配置されたアンテナ３２０（図３）を含む。アンテナ３２０は、アンテナ３２０の外形を更に最小限に抑えるために、例えば接着剤によってシャーシ６０２に取り付けることができる。アンテナ３２０は、シャーシ６０２と電子コンポーネント５０６との間に僅かなスペース（例えば、４分の１インチ等）しか必要としない程度に薄くすることができる。
【００５０】
図６Ｂを参照すると、コネクタ６２４ａ及び６２４ｂ（両方とも図６Ａに示されている）が係合した状態で電子コンポーネント５０６がシャーシ６０２のスロット６２８に完全に挿入されているのが示されている。電子コンポーネント５０６のＲＦＩＤタグ４２２は、スロット６２８に完全に挿入されると、スロット６２８内のアンテナ３２０と整列する。１つ以上の実施形態では、整列は、例えば、ＲＦＩＤタグがアンテナ３２０の真上で重なり合う垂直方向の重複整列等の重複整列である。図６Ｂに示すように配置された電子コンポーネント５０６では、ＲＦＩＤリーダ６１８は、質問信号を電子コンポーネント５０６のＲＦＩＤタグ４２２に送信することができる。質問信号は、電子コンポーネント５０６に関する情報を含む応答信号を、ＲＦＩＤタグ４２２に生成させる。次いで、アンテナ３２０及びＲＦＩＤリーダ６１８は、応答信号を受信し、その情報をコントローラ（例えば、図２のコントローラ２１４）に通信することができる。
【００５１】
再度図２を参照すると、資産識別コンポーネント２１６は、ＲＦＩＤタグ２２２を含むように変更することもできる。また、回路基板２０４は、資産識別コンポーネント２１６のＲＦＩＤタグ２２２に問い合わせるように構成されたＲＦＩＤリーダ２１８及びアンテナ２２０を含むこともできる。
【００５２】
図７は、サーバ６００（図６Ａ及び図６Ｂ）のシャーシ６０２内の挿入口７３０に部分的に挿入された資産識別コンポーネント７１６を示す図である。ＲＦＩＤリーダ及びアンテナ（又はアンテナのみ）（例えば、図２のＲＦＩＤリーダ２１８及びアンテナ２２０）は、挿入口７３０に配置することができ、資産識別コンポーネント７１６が挿入口７３０に挿入されると、資産識別コンポーネント７１６のＲＦＩＤタグ７２２に問い合わせることができる。次いで、ＲＦＩＤリーダは、資産識別コンポーネント７１６のＲＦＩＤタグ７２２から読み取った情報を、資産識別コンポーネント７１６を管理するためのコントローラ（例えば、図２のコントローラ２１４）に送信することができる。
【００５３】
資産識別コンポーネント７１６上のＲＦＩＤタグ７２２により、資産識別コンポーネント７１６は、強化した資産識別を提供することができる。従来の資産識別コンポーネントは、例えば、サーバのシリアル番号を単に示すだけであるが、資産識別コンポーネント７１６のＲＦＩＤタグ７２２から読み出した情報は、追加の情報を提供することができる。追加の情報には、例えば、サーバ全体及びサーバ内のコンポーネント毎に、年代、名前、品番、シリアル番号、ＭＡＣアドレス、コントローラＭＡＣアドレス、製造年月日、デバイスバージョン（device version）、ボードバージョン（board version）、プラットフォーム名、オープンネットワークインストール環境名、ＭＡＣアドレス数、製造元、国コード、ベンダ、ＢＩＯＳバージョン、コントローラバージョン、カスタムソフトウェアバージョン、ＰＳＵバージョン、ＰＳＵベンダ、ＡＣ入力、及び／又は、エラーコードが含まれ得る。
【００５４】
また、資産識別コンポーネント７１６のＲＦＩＤタグ７２２の存在は、資産識別コンポーネント７１６が光学スキャナで読み出すことができる従来の光学的表示（indicia）を含むことを妨げない。従って、１つ以上の実施形態では、資産識別コンポーネント７１６は、ＲＦＩＤタグ７２２のみを含むことができ、ＲＦＩＤタグ７２２とバーコードの両方を含むことができ、光学スキャン用のいくつかの他の従来の光学コードを含むことができる。
【００５５】
図８Ａを参照すると、特定の実施形態による、サーバ内の１つ以上の着脱可能な電子コンポーネントを管理するための例示的な方法８００Ａが示されている。例示的な方法８００Ａは、単に説明のために提示されており、様々な実施形態による他の方法は、類似の順序若しくは代替の順序で、若しくは、並行して実行される追加の、より少ない、又は、代替のステップを含むことができる。
【００５６】
例示的な方法８００Ａは、ステップ８０２において、ＲＦＩＤリーダが、サーバのシャーシに接続された着脱可能な電子コンポーネントのＲＦＩＤタグに問い合わせることで開始する。追加的又は代替的に、ステップ８０２は、例えばサーバの挿入口内に挿入される等のように、サーバに挿入された資産識別コンポーネントのＲＦＩＤタグに問い合わせるＲＦＩＤリーダを含むことができる。
【００５７】
１つ以上の実施形態では、問い合わせは、着脱可能な電子コンポーネント又は資産識別コンポーネントの挿入に応じて、連続的なものであってもよいし、周期的なものであってもよいし、オンデマンドのものであってもよいし、これらの組み合わせのものであってもよい。連続的な問い合わせは、アンテナから質問信号を絶えず発信しているＲＦＩＤリーダを含むことができる。周期的な問い合わせは、ＲＦＩＤリーダが、例えば１０秒、３０秒、１分、２分、５分、１０分等の設定されたタイミング、又は、不均一な周期を含む任意の他のタイミングシーケンスに従って質問信号を発信するＲＦＩＤリーダを含むことができる。オンデマンドの問い合わせは、例えば、コントローラの要求に応じて、例えばサーバのユーザによってトリガされた要求に応じて質問信号を発信させるＲＦＩＤリーダを含むことができる。また、問い合わせは、電子コンポーネント又は資産識別コンポーネントがシャーシ内に挿入されたことにより発生してもよい。例えば、シャーシは、電子コンポーネント又は資産識別コンポーネントの挿入時に作動する１つ以上のセンサを含むことができる。次いで、センサの起動は、ＲＦＩＤリーダに対して、関連するＲＦＩＤタグの問い合わせを行わせることができる。
【００５８】
ステップ８０４では、ＲＦＩＤリーダは、問い合わせに応じて、電子コンポーネント又は資産識別コンポーネントから情報を受信し、その情報をサーバのコントローラに提供する。上述したように、情報は、問い合わせされたＲＦＩＤタグに関連する電子コンポーネントの現在の状態を記述する１つ以上の動作パラメータであってもよい。ファンを一例とした場合では、情報は、空気流の方向（例えば、前から後（front-to-back；ＦｔＢ）又は後から前（back-to-front；ＢｔＦ）、ファンのロータの状態、ファンの位置等）を含むことができる。この情報は、電子コンポーネントに関する任意の他のタイプの情報（例えば、着脱可能な電子コンポーネントのシリアル番号、モデル番号、バートリビジョン、インターネットプロトコルアドレス、メディアアクセス制御アドレス、モデル名、最初の実行日、最後の実行日、ランタイム、製造日、製造業者、又は、これらの組み合わせ等）を含むこともできる。
【００５９】
ステップ８０６において、コントローラは、ステップ８０４で提供された情報に基づいて、着脱可能な電子コンポーネント、資産識別コンポーネント、サーバ、又は、これらの組み合わせを管理する。１つ以上の実施形態では、コントローラによって提供された管理プロセスは、例えば、得られた情報に基づいて、ベースボード管理コントローラ（ＢＭＣ）によって提供された任意の従来の管理プロセスであってもよい。しかしながら、得られた情報は、事前にコントローラに提供することができなかった電子コンポーネントからの情報であるため、コントローラによって提供される管理プロセスは、上述した欠点に影響されることなく、事前に管理できなかったサーバ内のコンポーネントを管理するプロセスを含むことができる。
【００６０】
１つ以上の特定の実施形態では、コントローラによる管理プロセスは、受信した情報を電子データベースに記録させるコントローラを含む。電子データベースは、サーバ内部に存在してもよいし、サーバ内の記憶装置に存在してもよいし、サーバの外部（例えば、リモートサーバ、クラウドベースのストレージシステム等）の電子データベースであってもよい。１つ以上の実施形態では、コントローラは、情報を複数の電子データベース（例えば複数のサーバに関連する外部及び／又は内部の電子データベース）に記録させることができる。
【００６１】
１つ以上の実施形態では、管理プロセスは、情報を電子デバイスのグラフィカルユーザインタフェースに表示するために、情報を電子デバイスに提供するサーバを含むことができる。電子デバイスは、例えば、別のサーバ、デスクトップ、ラップトップ、タブレット、スマートフォン等のモバイルコンピューティングデバイス等のように、情報を表示することができる任意のタイプのコンピューティングデバイスであってもよい。一例として、電子デバイスは、サーバに接続された端末であってもよく、情報が端末のディスプレイ上に表示される。代替的又は追加的に、電子デバイスは、サーバのユーザによって操作されるスマートフォンであってもよい。
【００６２】
サーバは、情報を電子デバイスに提供することに加えて、サーバ（例えば、サーバ又はコントローラ上で動作するソフトウェア）は、情報が電子デバイスのユーザにとってより理解できるフォーマットになるように、情報を復号化することもできる。復号化は、例えば、テキスト記述子フィールド（text descriptor fields）及び値を情報に割り当てることを含むことができる。
【００６３】
図９Ａは、様々な実施形態による、電子コンポーネントのＲＦＩＤタグから得られた情報を表示する電子デバイスのディスプレイの例示的なグラフィカルユーザインタフェース（ＧＵＩ）９００Ａを示す図である。ＧＵＩ９００Ａは、例えば、データフォーマット、記憶サイズ、ＲＦＩＤタグが書き込み可能であるかどうか、及び／又は、読み出しのみ可能であるか等のように、ＲＦＩＤタグ自体に関するデータを表示する部分９０２Ａを含む。更に、ＧＵＩ９００Ａは、電子コンポーネントに関するＲＦＩＤタグからの情報を表示する部分９０４Ａを含む。部分９０４Ａに示された情報は、例えば、情報が符号化されている場合があるために、ユーザに理解されない。上述したように、サーバは、情報を復号化し、テキスト記述子フィールド及び値を情報に割り当てて、電子デバイスのユーザがＲＦＩＤタグからの情報を理解できるようにすることができる。コールアウト９０６Ａは、復号化後に部分９０４Ａ内のテキストを置き換えることができる記述子フィールド及び値のフォーマットで表示された情報を含む。
【００６４】
図９Ａと同様に、図９Ｂは、様々な実施形態による、資産識別コンポーネントのＲＦＩＤタグから得られた情報を表示する電子デバイスのディスプレイの例示的なＧＵＩ９００Ｂを示す図である。図９Ａと同様に、ＧＵＩ９００Ｂは、例えば、データフォーマット、記憶サイズ、ＲＦＩＤタグが書き込み可能であるかどうか、及び／又は、読み出しのみ可能であるか等のように、ＲＦＩＤタグ自体に関するデータを表示する部分９０２Ｂを含む。更に、ＧＵＩ９００Ｂは、資産識別コンポーネントに関するＲＦＩＤタグからの情報を表示する部分９０４Ｂを含む。部分９０４Ｂに示された情報は、例えば、情報が符号化されている場合があるために、ユーザに理解されない。上述したように、サーバは、情報を復号化し、テキスト記述子フィールド及び値を情報に割り当てて、電子デバイスのユーザがＲＦＩＤタグからの情報を理解できるようにすることができる。コールアウト９０６Ｂは、復号化後に部分９０４Ａ内のテキストを置き換えることができる記述子フィールド及び値のフォーマットで表示された情報を含む。
【００６５】
再度、図８Ａのステップ８０６を参照すると、１つ以上の実施形態では、ＲＦＩＤリーダは、ＲＦＩＤタグに情報を書き込むことができるＲＦＩＤトランシーバであってもよい。ＲＦＩＤトランシーバでは、管理することは、ＲＦＩＤタグに関する情報を更新させることを含むことができる。１つ以上の実施形態では、更新することは、電子コンポーネントに関連付けられたＲＦＩＤタグに記憶されたランタイムを変更する等のように、ＲＦＩＤタグ内のメモリに記憶された値を変更することを含むことができる。１つ以上の実施形態では、更新することは、ＲＦＩＤタグに関連付けられた電子コンポーネントのメモリに記憶された値を変更することを含むことができ、電子コンポーネントの動作を変更することができる。例えば、ＲＦＩＤトランシーバは、ＲＦＩＤタグ又はファン上のメモリに記憶されたファン速度の値を変更することができる。電子コンポーネントは、ＲＦＩＤタグに記憶されたファン速度の変化を検出し、対応するファン速度に変化させるように構成することができる。以下で更に説明するように、資産識別コンポーネントのＲＦＩＤタグに対して同じ更新を行うことができる。
【００６６】
図８Ｂは、様々な実施形態による、サーバ内のホットスワップ可能なファンを管理する例示的な方法８００Ｂを示す図である。例示的な方法８００Ｂは、説明の目的のためにのみ示されており、様々な実施形態による他の方法では、同様の若しくは代替の順序で、若しくは、並行して実行される追加のステップ、より少ないステップ、又は、代替のステップを含むことができることを理解されたい。
【００６７】
例示的な方法は、サーバ（例えば、サーバ２００）内のコントローラ（例えば、ＢＭＣ等のコントローラ２１４）が、ファンを含むサーバ内の着脱可能な電子コンポーネントを介した管理を開始するステップ８０８から開始する。ステップ８０８は、サーバが起動してコントローラを制御するＢＩＯＳ及び／又はオペレーティングシステムが実行を始めると、開始することができる。
【００６８】
ステップ８１０では、コントローラは、ＲＦＩＤリーダが現在のＲＦＩＤタグをスキャンすべきかどうかを判定する。上述したように、コントローラは、電子コンポーネントがサーバのシャーシのスロットに挿入されたとの信号を受信したことに応じて、ＲＦＩＤタグを連続的、周期的又はオンデマンドでスキャンするようにＲＦＩＤリーダに指示することができる。
【００６９】
ステップ８１２では、コントローラが、現在のＲＦＩＤタグをスキャンするようにＲＦＩＤリーダに指示しないと判定したことに応じて、ＲＦＩＤリーダは、質問信号を発信しない。１つ以上の実施形態では、コントローラは、イベントを１つ以上の外部、内部又はこれらの組み合わせのログに記録することができる。
【００７０】
ステップ８１４では、コントローラが、現在のＲＦＩＤタグをスキャンするようにＲＦＩＤリーダに指示すると判定したことに応じて、ＲＦＩＤリーダは、質問信号を発信する。電子コンポーネントがファンの場合には、質問信号は、ファン上のＲＦＩＤタグからの応答信号を待つことによって、ファンがシャーシに挿入されているか否かを判定する。
【００７１】
ステップ８１６では、質問信号に応じて、ファン上のＲＦＩＤタグからの応答が受信されていない。コントローラによって、ファンが交換されたか存在していないと判定される。次いで、コントローラは、判定を１つ以上のログに記録し、プロセスはステップ８１０に戻る。
【００７２】
ステップ８１８では、質問信号に応じて、シャーシに挿入されたファン上のＲＦＩＤタグからの応答が受信される。応答は、上述した及び後述する情報の１つ以上の要素等のＲＦＩＤタグからの情報を含む。ＲＦＩＤリーダは、応答を受信すると、情報をコントローラに通信する。コントローラが情報を取得すると、コントローラは、特定のフィールド及び／又は値に関する情報を分析することができる。
【００７３】
ステップ８２０では、コントローラは、ファンのモデル名が正確かどうかをチェックする。ファンのモデル名が正確でない場合、方法はステップ８２２に進む。ファンのモデル名が正確な場合、方法はステップ８２４に進む。
【００７４】
ステップ８２２では、コントローラは、ファンのモデル名が不正確であることを記録する。ＲＦＩＤリーダがＲＦＩＤトランシーバである実施形態では、コントローラは、ＲＦＩＤトランシーバに対して、ＲＦＩＤタグに信号を送り、ＲＦＩＤタグのログに失敗イベント（fail event）を書き込ませることができる。１つ以上の実施形態では、ログに書き込まれた失敗イベントは、不正確なモデル名として指定され得る。次いで、方法８００Ｂはステップ８２４に進む。
【００７５】
ステップ８２４では、コントローラが、ファンのモデル名が正確であると判定した後、又は、コントローラがステップ８２２の失敗イベントをログ及び／又はＲＦＩＤタグに記録した後に、受信した情報の分析は、ファンの空気流が正確かどうかの判定を継続する。空気流が正確でない場合、方法８００Ｂはステップ８２６に進む。ファンの空気流が正確である場合、方法８００Ｂはステップ８２８に進む。
【００７６】
ステップ８２６では、コントローラは、ファンの空気流が不正確であることを１つ以上のログに記録する。ＲＦＩＤリーダがＲＦＩＤトランシーバである実施形態では、コントローラは、ＲＦＩＤトランシーバに対して、ＲＦＩＤタグに信号を送り、ＲＦＩＤタグのログに失敗イベントを書き込ませることができる。１つ以上の実施形態では、ログに書き込まれた失敗イベントは、不正確なファンの空気流として指定され得る。次いで、方法８００Ｂはステップ８２８に進む。
【００７７】
ステップ８２８では、コントローラが、ファンの空気流が正確であると判定した後、又は、コントローラがステップ８２６の失敗イベントをログ及び／又はＲＦＩＤタグに記録した後に、受信した情報の分析は、直流（ＤＣ）電圧が正確かどうかの判定を継続する。ＤＣ電圧が正確でない場合、方法８００Ｂはステップ８３０に進む。ＤＣ電圧が正確である場合、方法８００Ｂはステップ８３２に進む。
【００７８】
ステップ８３０では、コントローラは、ＤＣ電圧が不正確であることを１つ以上のログに記録する。ＲＦＩＤリーダがＲＦＩＤトランシーバである実施形態では、コントローラは、ＲＦＩＤトランシーバに対して、ＲＦＩＤタグに信号を送り、ＲＦＩＤタグのログに失敗イベントを書き込ませることができる。１つ以上の実施形態では、ログに書き込まれた失敗イベントは、不正確なＤＣ電圧として指定され得る。次いで、方法８００Ｂはステップ８３２に進む。
【００７９】
ステップ８３２では、受信した情報の分析は、ファンのランタイムが閾値を満たすかどうかを判定することに進む。この判定は、例えば、ランタイムが情報に含まれている場合、ランタイム値を直接分析することによって行うことができる。また、判定は、例えば、コントローラが最後のファンの実行日（fan date）と最初のファンの実行日との間の差を決定することによって、行うことができる。ランタイムが閾値値を満たさない場合（例えば、ランタイムが限度を超える場合等）、方法８００Ｂは、ステップ８３４に進む。ランタイムが閾値を満たす場合、方法８００Ｂは、ステップ８３６に進む。
【００８０】
ステップ８３４では、コントローラは、ランタイムが閾値を満たさない（例えば、限度を超えている等）ことを１つ以上のログに記録する。ＲＦＩＤリーダがＲＦＩＤトランシーバである実施形態では、コントローラは、ＲＦＩＤトランシーバに対して、ＲＦＩＤタグに信号を送り、ＲＦＩＤタグのログに失敗イベントを書き込ませることができる。１つ以上の実施形態では、ログに書き込まれた失敗イベントは、限度を超えたランタイムとして指定され得る。次いで、方法８００Ｂはステップ８３６に進む。
【００８１】
ステップ８３６では、コントローラが、ランタイムが閾値を満たすと判定した後、又は、コントローラがステップ８３４の失敗イベントをログ及び／又はＲＦＩＤタグに記録した後に、受信した情報の分析は、ファンのライフタイムが閾値を満たすかどうかの判定を継続する。判定は、例えば、ライフタイムが情報に含まれている場合に、ライフタイム値を直接分析することによって行うことができる。また、この判定は、例えば、コントローラがファンの現在の時間と製造時間との間の差を決定することによって行うことができる。ライフタイムが閾値を満たさない場合（例えば、ライフタイムが限度を超える場合等）、方法８００Ｂは、ステップ８３８に進む。ライフタイムが閾値を満たす場合、方法８００Ｂは、ステップ８４０に進む。
【００８２】
ステップ８３８では、コントローラは、ライフタイムが閾値を満たさない（例えば、限度を超えている等）ことを１つ以上のログに記録する。ＲＦＩＤリーダがＲＦＩＤトランシーバである実施形態では、コントローラは、ＲＦＩＤトランシーバに対して、ＲＦＩＤタグに信号を送り、ＲＦＩＤタグのログに失敗イベントを書き込ませることができる。１つ以上の実施形態では、ログに書き込まれた失敗イベントは、限度を超えたライフタイムとして指定され得る。次いで、方法８００Ｂはステップ８４０に進む。
【００８３】
ステップ８４０では、コントローラが、ライフタイムが閾値を満たすと判定した後、又は、コントローラがステップ８３８の失敗イベントをログ及び／又はＲＦＩＤタグに記録した後に、受信した情報の分析は、ファンが正確に動作しているかどうかの判定に進む。例えば、ファンが正確に動作しているかどうかの判定は、情報内のファンステータスフィールドをチェックすることを含むことができる。情報内のファンステータスフィールドが、ファンが正確に動作していることを示している場合には、方法８００Ｂは、ステップ８１０に戻る。情報内のファン状態フィールドが、ファンが正確に動作していないことを示している場合には、方法８００Ｂは、ステップ８４２に進む。
【００８４】
ステップ８４２では、コントローラは、ファンが正確に動作していないことを１つ以上のログに記録する。ＲＦＩＤリーダがＲＦＩＤトランシーバである実施形態では、コントローラは、ＲＦＩＤトランシーバに対して、ＲＦＩＤタグに信号を送り、ＲＦＩＤタグのログに失敗イベントを書き込ませることができる。１つ以上の実施形態では、ログに書き込まれた失敗イベントは、ファンの故障として指定され得る。次いで、方法８００Ｂはステップ８４４に進む。
【００８５】
ステップ８４４では、コントローラは、ファンを故障させたイベントを判定するために、情報をチェックすることができる。一例として、情報は、２つ以上のファンのロータのうち何れかがファンの故障を引き起こしていないかを指定可能なファンのロータフィールドを含むことができる。次いで、コントローラは、ファンのロータの故障をログに書き込み、及び／又は、ＲＦＩＤトランシーバに対して、故障したファンのロータをＲＦＩＤタグに書き込ませるようにする。次いで、方法８００Ｂはステップ８１０に戻る。
【００８６】
前述した図８Ｂの方法８００Ｂは、ファンがＰＣＢＡを介してコントローラに接続していない状態でも、サーバ内のファンを管理することを可能にする。しかしながら、無線周波数通信、ＲＦＩＤリーダ及びタグを使用する管理方法は、上述した欠点に影響されることなく、同レベルの管理を提供することができる。
【００８７】
図１０は、各種の実施形態による、資産識別コンポーネントに関する情報を更新する例示的な方法１０００を示す図である。例示的な方法１０００は、単に説明の目的で提示されており、様々な実施形態による他の方法は、類似若しくは代替の順序で、若しくは並行して実行される追加のステップ、より少ないステップ、又は、代替のステップを含むことができることを理解されたい。
【００８８】
例示的な方法は、サーバ（例えば、図２のサーバ２００）内のコントローラ（例えば、図２のコントローラ２１４、ＢＭＣ等）が、サーバ内の資産識別コンポーネント（例えば、図２の資産識別コンポーネント２１６）を介した管理を始めるステップ１０４６で開始する。ステップ１０４６は、サーバが起動してコントローラを制御するＢＩＯＳ及び／又はオペレーティングシステムが実行を始めると、開始することができる。
【００８９】
ステップ１０４８では、コントローラは、資産識別コンポーネントに関連付けられたＲＦＩＤリーダが現在のＲＦＩＤタグをスキャンするように指示するかどうかを判定する。上述したように、コントローラは、資産識別コンポーネントがサーバのシャーシのスロットに挿入されたとの信号を受信したことに応じて、ＲＦＩＤタグを連続的、周期的又はオンデマンドでスキャンするようにＲＦＩＤリーダに指示することを判定することができる。
【００９０】
ステップ１０５０では、コントローラは、現在のＲＦＩＤタグをスキャンするようにＲＦＩＤリーダに指示するタイミングが正しくないと判定したことに応じて、イベントを記録する。コントローラは、１つ以上の外部、内部又はこれらの組み合わせのログにイベントを記録することができる。
【００９１】
ステップ１０５２では、コントローラは、現在のＲＦＩＤタグをスキャンするようにＲＦＩＤリーダに指示するタイミングが正しいと判定したことに応じて、ＲＦＩＤリーダに質問信号を発信させる。
【００９２】
ステップ１０５４では、応答信号がＲＦＩＤタグから受信されていないので、資産識別コンポーネントがサーバのシャーシに挿入されていないと判断される。例えば、ユーザは、資産識別コンポーネント上のバーコードを手動でスキャンし、及び／又は、ハンドヘルドＲＦＩＤリーダを用いて、資産識別コンポーネント上のＲＦＩＤタグを手動で問い合わせることができる。
【００９３】
ステップ１０５６では、質問信号に応じて、シャーシに挿入された資産識別コンポーネントのＲＦＩＤタグからの応答が受信される。この応答には、ＲＦＩＤタグからの情報（例えば、資産識別コンポーネントが挿入されるサーバ内の設定及び構成に関する情報等）を含む。また、情報は、受信されると、ＲＦＩＤリーダからコントローラに渡される。
【００９４】
次いで、コントローラは、ＲＦＩＤリーダから受信した情報を分析する。一例として、ステップ１０５６は、コントローラが、情報をチェックして、情報が前回のスキャンから更新されたかどうか、又は、コントローラが受信した前回の更新から更新する必要があるかどうかを判定することを含む。資産識別コンポーネントに関する情報を更新する必要がある場合、方法１０００はステップ１０５８に進む。資産識別コンポーネントに関する情報が正確な場合には、方法はステップ１０６０に進む。
【００９５】
ステップ１０５８では、コントローラは、ＲＦＩＤトランシーバとして構成されたＲＦＩＤリーダに対して、更新された情報をＲＦＩＤタグに書き込ませる。情報がＲＦＩＤタグに書き込まれると、方法１０００はステップ１０６０に進むことができる。
【００９６】
ステップ１０６０では、コントローラは、サーバ内の１つ以上の資産のエラー状態が現在存在するかどうかをチェックする。例えば、１つ以上のファンが故障している場合、現在のファン故障のエラー状態が存在する。コントローラは、１つ以上の他のＲＦＩＤリーダに対して、サーバ内の電子コンポーネントに関連付けられた１つ以上の他のＲＦＩＤタグを問い合わせるように事前にコントローラに指示する１つ以上のエラー状態を認識することができる。代替的又は追加的に、コントローラは、コネクタ１１２を介して１つ以上の能動電子コンポーネントと通信するコントローラによって、１つ以上のエラー状態を認識することができる。エラー状態は、コントローラによって管理される任意のプロセス又はコンポーネントに関連付けることができる。エラー状態がある場合、方法１０００はステップ１０６２に進む。エラー状態がない場合、方法１０００はステップ１０４８に戻る。
【００９７】
ステップ１０６２では、コントローラは、ＲＦＩＤトランシーバとして構成されたＲＦＩＤリーダに対して、エラー状態を資産識別コンポーネントのＲＦＩＤタグに書き込ませるようにする。エラー状態を資産識別コンポーネントに書き込むことにより、ユーザは、例えばハンドヘルドＲＦＩＤリーダ等の資産識別コンポーネントを順次スキャンして、エラー状態を含む資産識別コンポーネントに関する情報を読み取ることができる。エラー状態が資産コンポーネントのＲＦＩＤタグに書き込まれた後、方法１０００はステップ１０４８に戻る。
【００９８】
方法１０００は、資産識別コンポーネントに含まれる情報の動的更新を可能にする。従って、固定した可視表示（indicia）のみを含む従来の資産識別コンポーネントとは異なり、資産識別コンポーネントに関連付けられたサーバに関する情報が更新されると、様々な実施形態に係る資産識別コンポーネントを更新することができる。このように動的に変更可能な資産識別コンポーネントは、サーバ内のより大きな柔軟性と管理オプションとを提供する。
【００９９】
本明細書で論じる管理は、主として無線周波数通信を使用する受動電子コンポーネントの管理に向けられているが、図２に関して上述したように、ＲＦＩＤリーダ、アンテナ及びＲＦＩＤタグを追加して、同様の管理を能動電子コンポーネントに提供することができる。従って、様々な実施形態は、サーバ内の任意の電子コンポーネントに適用することができる。
【０１００】
本明細書の様々な実施形態に関連して説明した様々な例示的な論理ブロック、モジュール及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）若しくは他のプログラマブルロジックデバイス、個別のゲート若しくはトランジスタロジック、個別のハードウェアコンポーネント、又は、本明細書に記載された機能を実行するように設計されたこれらの任意の組み合わせを含んでもよい。汎用プロセッサは、マイクロプロセッサであってもよいが、代わりに、プロセッサは、任意の従来のプロセッサ、コントローラ、マイクロコントローラ又は状態機械であってもよい。プロセッサは、コンピュータデバイスの組み合わせ（例えば、ＤＳＰとマイクロプロセッサとの組み合わせ、複数のマイクロプロセッサ、１つ以上のマイクロプロセッサとＤＳＰコア、又は、他の任意の構成）として実装されてもよい。
【０１０１】
様々な実施形態に関連して説明した方法又はアルゴリズムの動作は、ハードウェア、プロセッサによって実行されるソフトウェアモジュール、又は、これら２つの組み合わせで直接的に具体化することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は、当該技術分野において周知の他の形式の記憶媒体に存在してもよい。例示的な記憶媒体は、プロセッサが情報（例えば符号）を記憶媒体から読み出し、記憶媒体へ書き込むことができるように、当該プロセッサに接続される。また、記憶媒体は、プロセッサと一体化することができる。プロセッサ及び記憶媒体は、ＡＳＩＣ内に存在してもよい。ＡＳＩＣは、ユーザ端末に存在してもよい。或いは、プロセッサ及び記憶媒体は、ユーザ端末において個別のコンポーネントとして存在してもよい。
【０１０２】
１つ以上の例示的な設計では、上述した機能は、ハードウェア、ソフトウェア、ファームウェア、又は、これらの組み合わせで実装することができる。ソフトウェアで実装される場合、この機能は、非一時的なコンピュータ可読媒体上に１つ以上の命令又はコードとして記憶され、送信され得る。非一時的なコンピュータ可読媒体は、コンピュータ記憶媒体と、ある場所から別の場所へのコンピュータプログラムの伝送を容易にする任意の媒体を含む通信媒体と、を含む。記憶媒体は、汎用又は専用のコンピュータによってアクセス可能な任意の利用可能な媒体とすることができる。以下に限定されるものではないが、例えば、かかるコンピュータ可読媒体は、ＲＡＭ、ＲＯＭ、ＥＥＰＲＯＭ、ＣＤ−ＲＯＭ若しくは他の光ディスク記憶媒体、磁気ディスク記憶媒体若しくは他の磁気記憶装置、命令若しくはデータ構造の形式で所望のプログラムコード手段を実行若しくは記憶するのに利用可能な任意の他の媒体、又は、汎用若しくは専用のプロセッサを含んでもよい。本明細書で用いられるディスク（ｄｉｓｋ）及びディスク（ｄｉｓｃ）は、コンパクトディスク（ＣＤ）、レーザーディスク（登録商標）、光ディスク、デジタル多用途ディスク（ＤＶＤ）、フロッピー（登録商標）ディスク、及び、ブルーレイ（登録商標）ディスクを含み、ディスク（ｄｉｓｋ）は、通常、磁気を用いてデータを再生し、ディスク（ｄｉｓｃ）は、レーザー光を用いてデータを再生する。上述した組み合わせも非一時的なコンピュータ可読媒体の範囲内に含まれるべきである。
【０１０３】
様々な実施形態が上述したように説明されたが、これらは例示的に提示されたものであって限定的なものではないことを理解されたい。本明細書の開示に従って、開示された実施形態に対する種々の変更を、本発明の趣旨及び範囲から逸脱しない程度で行うことができる。従って、本発明の幅及び範囲は、上記実施形態の何れによっても限定されるべきではない。むしろ、本発明の範囲は、添付の特許請求の範囲及びこの均等物に従って定義されるべきである。
【０１０４】
様々な実施形態を１つ以上の実装に関連して図示及び説明したが、本明細書及び添付の図面を参照して理解すると、当業者によって同等の変更及び修正が行われるであろう。また、本発明の特定の特徴は、複数の実施形態のうち１つのみに関連して述べられているかもしれないが、このような特徴は、所定の又は特定の用途に望ましく有利になり得るような他の１つ以上の実施形態の特徴と組み合わせられてもよい。
【０１０５】
本明細書で使用される用語は、特定の実施形態のみを説明するためのものであって、限定することを意図するものではない。本明細書で使用されているように、単数形は、文脈がそうでないことを明確に示さない限り、複数形も含むことを意図している。更に、「含む」、「有する」又はこれらの変形は、詳細な説明及び／又は特許請求の範囲において使用される限り、かかる用語は「備える」と同様の態様で包含される。
【０１０６】
特に定義されなければ、本明細書で使用される全ての用語（技術用語及び科学用語を含む）は、本発明が属する技術分野の当業者によって一般的に理解されるのと同じ意味を有している。更に、一般的に使用される辞書で定義されているような用語は、関連する技術分野の文脈における意味と一致した意味を有するものとして解釈されるべきであり、本明細書で明確にそのように定義されない限り、理想化され又は過度に形式的な意味で解釈されないことを理解されたい。
【符号の説明】
【０１０７】
１００，２００，６００…サーバ
１０２，２０２，６０２…シャーシ
１０４，２０４…回路基板
１０６，１０８，２０６，２０８，５０６…コンポーネント
１１０，１１２，２１２…コネクタ
１１０ａ，１１２ａ，６２４ａ…雄型コネクタ
１１０ｂ，１１２ｂ，６２４ｂ…雌型コネクタ
１１４，２１４…コントローラ
１１６，２１６…資産識別コンポーネント
２１８…ＲＦＩＤリーダ
２２０，３２０…アンテナ
２２２…ＲＦＩＤタグ
３２６…コネクタ
４２２…ＲＦＩＤタグ
６２８…スロット
７１６…資産識別コンポーネント
７２２…ＲＦＩＤタグ
７３０…挿入口
８００Ａ，８００Ｂ，１０００…方法
８０２〜８４４，１０４６〜１０６２…ステップ
９００Ａ，９００Ｂ…ユーザインタフェース
９０６Ａ，９０６Ｂ…コールアウト
【図１】
2019079489.tif 000003
【図２】
2019079489.tif 000004
【図３】
2019079489.tif 000005
【図４】
2019079489.tif 000006
【図５】
2019079489.tif 000007
【図６Ａ】
2019079489.tif 000008
【図６Ｂ】
2019079489.tif 000009
【図７】
2019079489.tif 000010
【図８Ａ】
2019079489.tif 000011
【図８Ｂ−１】
2019079489.tif 000012
【図８Ｂ−２】
2019079489.tif 000013
【図９Ａ】
2019079489.tif 000014
【図９Ｂ】
2019079489.tif 000015
【図１０】
2019079489.tif 000016